(57)【特許請求の範囲】
【請求項１】
一方の端部外周面にカフを有し、他方の端部にコネクタ部が形成された管腔体の内腔を気道確保用ルーメンとし、前記管腔体の管壁部内には前記カフに連通するカフ膨脹用ルーメンおよび外部に連通する吸引開口部を途中に有する吸引ルーメンを該管腔体の長さ方向に沿って設け、さらに長手方向の途中に前記吸引開口部が位置するように両端が前記管腔体に固定されるとともに両端間が外向き円弧状に形成されて該外向き円弧状部と管腔体外周面との間に前記吸引ルーメンの前記コネクタ部側に連通する吸引部が形成されるプロテクターを設け、
前記プロテクターを、
所定長さのチューブのほぼ中央部から一方の側に形成され前記吸引開口部から前記吸引ルーメンに挿入される円筒状の挿入部と、
他方の側を展開して形成され前記管腔体の外周面に固定される取付部と、
前記挿入部と前記取付部との間の前記外向き円弧状部の両側をほぼ円弧状に切除して形成され、かつ前記管腔体の外周面との間に前記挿入部および前記吸引ルーメンに連通する前記吸引部が形成される連結部と、
により構成したことを特徴とする気管切開チューブ。
【請求項２】
一方の端部外周面にカフを有し、他方の端部にコネクタ部が形成された管腔体の内腔を気道確保用ルーメンとし、前記管腔体の管壁部内には前記カフに連通するカフ膨脹用ルーメンおよび外部に連通する吸引開口部を途中に有する吸引ルーメンを該管腔体の長さ方向に沿って設け、さらに長手方向の途中に前記吸引開口部が位置するように両端が前記管腔体に固定されるとともに両端間が外向き円弧状に形成されて該外向き円弧状部と管腔体外周面との間に前記吸引ルーメンの前記コネクタ部側に連通する吸引部が形成されるプロテクターを設け、
前記プロテクターを、
前記吸引開口部からカフ側に向かって前記吸引ルーメンに挿入される挿入部と、
前記管腔体の外周面に固定される取付部と、
両端部が前記挿入部と前記取付部にそれぞれ連結され、かつ前記管腔体の外周面との間に前記吸引ルーメンの前記コネクタ部側に連通する前記吸引部が形成される前記外向き円弧状部からなる連結部と、
により一体に構成したことを特徴とする気管切開チューブ。
【発明の詳細な説明】
【０００１】
【発明の属する技術分野】
本発明は気管切開チューブに係り、さらに詳しくは、気管切開チューブの管腔体であるベンドチューブの管壁部内に吸引ルーメンが設けられた吸引ルーメン付の気管切開チューブに関するものである。
【０００２】
【従来の技術】
気管切開チューブは、周知のように、呼吸機能の不十分な患者等に用いられる医療器具である。そして、気管切開チューブは、患者に気管切開術を行いその切開部に挿入することによって人体に取り付けられるが、この気管切開チューブによって、空気は外部から気管を通じて肺に送り込まれたり、肺から外部へ送り出されたりするようになっている。従って、患者は喉、鼻に空気を通すことなく、人体の自然の呼吸運動によって通常の呼吸をすることが可能となる。
【０００３】
また、呼吸不全患者の場合は、これに人工呼吸器を取り付けることにより通常に近い状態の呼吸が行われ、さらに吸引ルーメン等を付設したものでは、貯溜している痰類の除去が可能であり、気管切開チューブのベンドチューブにおける湾曲部の壁に穴等を設けたものは、患者の会話が可能となるなど、幅広い用途がある。
【０００４】
図９は従来の気管切開チューブ（従来例１）の模式図およびそのＡ−Ａ断面図である。図において、１は気管切開チューブで、そのベンドチューブ２はほぼ９０゜にやや大きな曲率で湾曲した“くの字状”の管腔体であり、この管腔体の内腔は気道確保用ルーメン２ａとなっている。４はベンドチューブ２の一方の端部３またはその近傍の外周面を覆うカフで、例えば気管に挿入されたベンドチューブ２を隙間なく支持する役割を持っており、全体がタイヤのような中空状のもので、ベンドチュ−ブ２の管壁部内に設けられたカフ膨脹用小ルーメン５を介して中空部を加圧または減圧し、カフ４全体を適宜膨脹ないし収縮させることが可能になっている。
【０００５】
６はベンドチューブ２の他方の端部を構成するコネクタ部で、テーパ状すなわち先の狭まった形状となっており、必要に応じて図示しない人工呼吸器や蓋（人工呼吸器不使用の場合等に使用される）等が装着される。７はコネクタ部６とベンドチューブ２の接続部に設けられた固定具で、固定具７は左右両側へ延びる翼状のアーム部８からなり、アーム部８の先端近傍には人体への取付用の穴９がそれぞれ設けられている。そして、コネクタ部６と固定具７の間には、カフ膨脹用小ルーメン５に連通されカフ４の中空部を加圧または減圧するために使用されるカフ用小チューブ１０と、ベンドチューブ２の外側に沿わせて設けられた吸引ルーメン１１に連通された吸引ルーメン用チューブ１２とが取り付けられている。また、吸引ルーメン１１は気管内の痰等の粘稠流動体や食物等の固形物を吸引除去するための重要な付属部品であり、吸引ルーメン１１の吸引開口部１１ａがベンドチュ−ブ２の湾曲部の所定部位において外部に開放されるように設けられている。
【０００６】
図１０は他の従来の気管切開チューブ（従来例２）の模式図およびそのＢ−Ｂ断面図で、従来例１の気管切開チューブ１とほぼ同様に構成されており、吸引ルーメン１３がカフ膨脹用小ルーメン５と同様にベンドチュ−ブ２の管壁部内に対向して設けられ、吸引ルーメン１３の吸引開口部１３ａがベンドチュ−ブ２の湾曲部の所定部位において外部に開放されるように貫設されている。なお、吸引ルーメン１３は、前述したような高吸引性の必要性から、カフ膨脹用小ルーメン５よりはルーメンとしてのインピーダンスを小さくすることが重要で、カフ膨脹用小ルーメン５よりは大きいサイズのルーメンを形成する必要がある。このため、ベンドチューブ２の内腔はカフ膨脹用小ルーメン５側に偏ったものとなっており、吸引ルーメン１３の形成される側の壁厚は、カフ膨脹用小ルーメン５の形成されている対向側の壁厚より厚くなっている。
【０００７】
そして、図９および図１０に示した気管切開チューブ１は、ベンドチューブ２の端部３が肺側に向くように人体の喉から気管へ開けられた切開部に挿入され、固定具７の穴９に取り付けられた固定紐によって人体の首に固定される。この時、カフ４は気管の内周面を軽く押圧するように膨らまされており、このカフ４によって気管切開チューブ１は気管内に支持され、かつ肺から吐き出された空気が喉、鼻側へ抜けないように装着される。ついで、肺から吐き出された空気は、喉、鼻側へ抜けることなくベンドチューブ２を通ってコネクタ部６の開口部から人体の外部へ排気され、また、ベンドチューブ２を通って人体の外部からの空気が肺へ取り入れられる。これを繰り返し行うことにより、通常の呼吸が行われる。また、気管切開チューブ１の装着中、気管内の痰等の粘稠流動体や食物等の固形物は吸引ルーメン１１または１３により吸引され、人体の外部に排出される。
【０００８】
【発明が解決しようとする課題】
上記のような従来例１の気管切開チューブ１は、ベンドチューブ２の外側に沿わせて吸引ルーメン１１を設けたので、気管内の痰等の粘稠流動体や食物等の固形物に対する吸引性は良いものの、ベンドチューブ２の表面に凹凸が生じてしまうため、気管への装着において切開部を刺激し使用時に違和感を与えてしまうという問題があった。また、従来例２の気管切開チューブ１は、ベンドチュ−ブ２の管壁部内に吸引ルーメン１３を設け、ベンドチューブ２の表面に凹凸が無いように形成したので、気管への装着において切開部に刺激を与えにくく違和感は低減されるものの、吸引ルーメン１３の吸引開口部１３ａに気道粘膜が吸着し易く、これにより吸引性が悪くなったり、粘稠流動体等の吸引によって吸引開口部１３ａが閉塞してしまい、気管切開チューブ１を交換しなければならないという問題があった。
【０００９】
本発明は、上記のような課題を解決するためになされたもので、チューブの表面に気管を刺激するような突起物がほとんど無く、気道粘膜による吸引開口部の閉塞を防止して貯溜物の吸引を確実に行える使用感の良い気管切開チューブを提供することを目的としたものである。
【００１０】
【課題を解決するための手段】
本発明に係る気管切開チューブは、一方の端部外周面にカフを有し、他方の端部にコネクタ部が形成された管腔体の内腔を気道確保用ルーメンとし、管腔体の管壁部内にはカフに連通するカフ膨脹用ルーメンおよび外部に連通する吸引開口部を途中に有する吸引ルーメンを管腔体の長さ方向に沿って設け、さらに長手方向の途中に前記吸引開口部が位置するように両端が管腔体に固定されるとともに両端間が外向き円弧状に形成されてこの外向き円弧状部と管腔体外周面との間に吸引ルーメンのコネクタ部側に連通する吸引部が形成されるプロテクターを設け、プロテクターを、所定長さのチューブのほぼ中央部から一方の側に形成され吸引開口部から吸引ルーメンに挿入される円筒状の挿入部と、他方の側を展開して形成され管腔体の外周面に固定される取付部と、挿入部と取付部との間の前記外向き円弧状部の両側をほぼ円弧状に切除して形成され、かつ管腔体の外周面との間に前記挿入部および前記吸引ルーメンに連通する前記吸引部が形成される連結部と、により構成したものである。
【００１１】
本発明に係る気管切開チューブは、一方の端部外周面にカフを有し、他方の端部にコネクタ部が形成された管腔体の内腔を気道確保用ルーメンとし、管腔体の管壁部内にはカフに連通するカフ膨脹用ルーメンおよび外部に連通する吸引開口部を途中に有する吸引ルーメンを管腔体の長さ方向に沿って設け、さらに長手方向の途中に前記吸引開口部が位置するように両端が管腔体に固定されるとともに両端間が外向き円弧状に形成されてこの外向き円弧状部と管腔体外周面との間に吸引ルーメンのコネクタ部側に連通する吸引部が形成されるプロテクターを設け、プロテクターを、吸引開口部からカフ側に向かって吸引ルーメンに挿入される挿入部と、管腔体の外周面に固定される取付部と、両端部が前記挿入部と前記取付部にそれぞれ連結され、かつ管腔体の外周面との間に前記吸引ルーメンの前記コネクタ部側に連通する前記吸引部が形成される前記外向き円弧状部からなる連結部と、により一体に構成したものである。
【００１３】
【発明の実施の形態】
実施の形態１．
図１は本発明の実施の形態１の模式図、図２はその要部の拡大図、図３は図２の要部の拡大断面図、図４は本発明の実施の形態１に係るプロテクターの斜視図である。なお、図１０で説明した従来例２と同一部部には同じ符号を付し、説明を省略する。
【００１４】
図において、１４は例えばポリ塩化ビニルなどの軟質の合成樹脂チューブを加工してなり、図３のように吸引ルーメン１３の途中に形成された吸引開口部１３ａに取り付けられるプロテクターで、例えば所定長さのチューブのほぼ中央部から一方の側に形成された円筒状の挿入部１４ａと、他方の側を軸方向のスリットにより展開して形成された板状の取付部１４ｂと、挿入部１４ａと取付部１４ｂとの間の両側を図４のようにほぼ円弧状に切除し、さらに図３のように外向き円弧状に形成された連結部１４ｃとにより構成されている。そして、プロテクター１４は、図３のようにその長手方向の途中に吸引開口部１３ａが位置するように両端がベンドチューブ２に固定される。すなわち、具体的にはプロテクター１４の挿入部１４ａを吸引開口部１３ａからコネクタ部６側に向かって吸引ルーメン１３に挿入し、取付部１４ｂを吸引開口部１３ａ近傍のカフ４側のベンドチューブ２の外周面に接着剤により接着してプロテクター１４を吸引開口部１３ａに固定し、連結部１４ｃとベンドチューブ２の外周面との間に挿入部１４ａおよび吸引ルーメン１３のコネクタ部６側に連通する吸引部１４ｄを形成する。
【００１５】
このように構成したこの実施の形態１においては、気管切開チューブ１のベンドチューブ２をその端部３が肺側に向くように人体の喉から気管へ開けた切開部に挿入し、固定具７の穴９に取り付けられた固定紐によって人体の首に固定する。この時、カフ４を気管の内周面を軽く押圧するようにカフ用小チューブ１０およびカフ膨脹用小ルーメン５により蒸留水を送って膨らまし、このカフ４によって気管切開チューブ１を気管内に支持させるとともに、肺から吐き出された空気が喉、鼻側へ抜けないように装着する。ついで、肺から吐き出された空気は、喉、鼻側へ抜けることなくベンドチューブ２を通ってコネクタ部６の開口部から人体の外部へ排気され、人体の外部からの空気は、ベンドチューブ２を通って肺へ取り入れられる。これが繰り返され通常の呼吸が行われる。
【００１６】
また、気管切開チューブ１の装着中においては、吸引ルーメン１３および吸引ルーメン用チューブ１２により気管内の痰等の粘稠流動体や食物等の固形物が吸引除去されている。この時、吸引ルーメン１３の吸引開口部１３ａに気道粘膜が吸着し易いが、吸引開口部１３ａに取り付けたプロテクター１４により気道粘膜の吸着が防止され、粘稠流動体等の吸引による吸引ルーメン１３および吸引開口部１３ａの閉塞が回避されて、粘稠流動体等は吸引部１４ｄから挿入部１４ａを通って吸引ルーメン１３および吸引ルーメン用チューブ１２に確実に送られ、人体の外部に排出される。
【００１７】
このように、吸引開口部１３ａにプロテクター１４を取り付け、プロテクター１４の連結部１４ｃとベンドチューブ２の外周面との間に吸引ルーメン１３に挿入された挿入部１４ａおよび吸引ルーメン１３に連通する吸引部１４ｄを形成して、粘稠流動体等を吸引部１４ｄから挿入部１４ａおよび吸引ルーメン１３に吸引し、吸引ルーメン用チューブ１２より人体の外部に排出するように構成したので、プロテクター１４により気道粘膜の吸引開口部１３ａへの吸着を防止し、かつ粘稠流動体等の吸引による吸引ルーメン１３および吸引開口部１３ａの閉塞を回避することができる。また、気道粘膜がプロテクター１４に吸着しても取付部１４ｂおよび連結部１４ｃの表面に吸着されるのみで吸引部１４ｄおよび吸引開口部１３ａには吸着されてないため、粘稠流動体等の吸引を確実に行うことができる。これにより、吸引性の低下を防いで粘稠流動体等を人体の外部へ確実に排出させることができる。また、このベンドチューブ２の表面には凹凸がほとんど無いので、気管への装着において切開部に刺激を与えにくく違和感を低減させることができる。
【００１８】
実施の形態２．
図５は本発明の実施の形態２の模式図、図６はその要部の拡大図、図７は図６の断面図、図８は本発明の実施の形態２に係るプロテクターの斜視図である。この実施の形態２は、実施の形態１の合成樹脂チューブを加工してなるプロテクター１４に代えて、例えばポリ塩化ビニルなどの熱可塑性樹脂による成型品からなるプロテクター１５を吸引開口部１３ａに取り付けたものであり、プロテクター１５は、図５、図７のように吸引ルーメン１３のカフ４側に挿入される挿入部１５ａと、板状の取付部１５ｂと、図７、図８のように両端部が挿入部１５ａと取付部１５ｂにそれぞれ連結された外向き円弧状の連結部１５ｃとにより構成されている。そして、プロテクター１５の挿入部１５ａを吸引開口部１３ａからカフ４側に向かって吸引ルーメン１３に挿入し、取付部１５ｂを吸引開口部１３ａ近傍のコネクタ部６側のベンドチューブ２の外周面に接着剤により接着してプロテクター１５を図５、図７のようにその長手方向の途中に吸引開口部１３ａが位置するように固定し、連結部１５ｃとベンドチューブ２の外周面との間に吸引開口部１３ａおよび吸引ルーメン１３のコネクタ部６側に連通する吸引部１５ｄを形成する。
【００１９】
このように構成したことにより、実施の形態１とほぼ同じ作用および効果が得られ、プロテクター１５により気道粘膜の吸引開口部１３ａへの吸着を防止し、粘稠流動体等の吸引による吸引ルーメン１３および吸引開口部１３ａの閉塞を回避することができる。これにより、粘稠流動体等の吸引が吸引部１５ｄから吸引開口部１３ａおよび吸引ルーメン１３等を介して確実に行われ、吸引性を低下させることなく粘稠流動体等を人体の外部へ排出させることができるとともに、表面に凹凸のほとんど無いベンドチューブ２を切開部に装着するので、切開部に刺激を与えにくく違和感を低減させることができる使用感の良い気管切開チューブ１を得ることができる。
【００２０】
【発明の効果】
以上のように本発明に係る気管切開チューブは、一方の端部外周面にカフを有し、他方の端部にコネクタ部が形成された管腔体の内腔を気道確保用ルーメンとし、管腔体の管壁部内にはカフに連通するカフ膨脹用ルーメンおよび外部に連通する吸引開口部を途中に有する吸引ルーメンを管腔体の長さ方向に沿って設け、さらに長手方向の途中に前記吸引開口部が位置するように両端が管腔体に固定されるとともに両端間が外向き円弧状に形成されてこの外向き円弧状部と管腔体外周面との間に吸引ルーメンのコネクタ部側に連通する吸引部が形成されるプロテクターを設け、プロテクターを、所定長さのチューブのほぼ中央部から一方の側に形成され吸引開口部から吸引ルーメンに挿入される円筒状の挿入部と、他方の側を展開して形成され管腔体の外周面に固定される取付部と、挿入部と取付部との間の前記外向き円弧状部の両側をほぼ円弧状に切除して形成され、かつ管腔体の外周面との間に前記挿入部および前記吸引ルーメンに連通する前記吸引部が形成される連結部と、により構成した、あるいはプロテクターを、吸引開口部からカフ側に向かって吸引ルーメンに挿入される挿入部と、管腔体の外周面に固定される取付部と、両端部が前記挿入部と前記取付部にそれぞれ連結され、かつ管腔体の外周面との間に前記吸引ルーメンの前記コネクタ部側に連通する前記吸引部が形成される前記外向き円弧状部からなる連結部と、により一体に構成したので、貯留物の吸引時においてプロテクターにより気道粘膜の吸引開口部への吸着を防止し、貯留物の吸引による吸引ルーメンおよび吸引開口部の閉塞を回避することができるとともに、気道粘膜がプロテクターに吸着しても取付部および連結部の表面に吸着されるのみで吸引部および吸引開口部には吸着されてないため、貯留物の吸引を確実に行うことができる。これにより、吸引性の低下を防ぎ貯留物を人体の外部へ確実に排出させることができる。また、管腔体表面にプロテクターを設けても凹凸がほとんど生じないため、気管への装着における切開部への刺激を与えず違和感を低減させることができる使用感の良い気管切開チューブを得ることができる。
【図面の簡単な説明】
【図１】本発明の実施の形態１の模式図である。
【図２】図１の要部の拡大図である。
【図３】図２の要部の拡大断面図である。
【図４】本発明の実施の形態１に係るプロテクターの斜視図である。
【図５】本発明の実施の形態２の模式図である。
【図６】図５の要部の拡大図である。
【図７】図６の断面図である。
【図８】本発明の実施の形態２に係るプロテクターの斜視図である。
【図９】従来の気管切開チューブの模式図およびそのＡ−Ａ断面図である。
【図１０】他の従来の気管切開チューブの模式図およびそのＢ−Ｂ断面図である。
【符号の説明】
１  気管切開チューブ
２  ベンドチューブ（管腔体）
３  端部
４  カフ
５  カフ膨脹用小ルーメン
６  コネクタ部
１３  吸引ルーメン
１３ａ  吸引開口部
１４，１５  プロテクター
１４ａ，１５ａ  挿入部
１４ｂ，１５ｂ  取付部
１４ｃ，１５ｃ  連結部
１４ｄ，１５ｄ  吸引部
【図１】
0004003092.tif 000002
【図２】
0004003092.tif 000003
【図３】
0004003092.tif 000004
【図４】
0004003092.tif 000005
【図５】
0004003092.tif 000006
【図６】
0004003092.tif 000007
【図７】
0004003092.tif 000008
【図８】
0004003092.tif 000009
【図９】
0004003092.tif 000010
【図１０】
0004003092.tif 000011